(57)【要約】【課題】茶の湯の点前の際の湯沸し用の熱源は炭火と電熱に大別できる。それぞれ長所と短所があるが、現状では両者の簡単な交換は困難で、使用形態を変更の度に灰と五徳の設置又は撤去の大掛かりな作業を必要とする。そこで熱源を状況に応じて簡便に使い分けられる支柱分割式五徳と五徳設置用電熱器を提供する。【解決手段】釜を炉や風炉に設置するための五徳の上部を着脱式にした支柱分割式五徳を用い、電熱器使用時には五徳の着脱部に専用の五徳設置用電熱器を装着することで、灰と五徳を熱源の使用変更の都度設置や撤去をすることなく、簡便且つ短時間に電熱と炭火の使い分けが可能となる。【選択図】図１
2009041893.tif 000002
【特許請求の範囲】
【請求項１】
茶の湯の点前を行う際の湯を沸かす熱源を炭火、電熱兼用で使用でき、熱源の交換が簡便に行える支柱分割式五徳。
【請求項２】
上記の五徳に簡便に設置できる五徳設置用電熱器。
【発明の詳細な説明】
【発明の詳細な説明】
【技術分野】
【０００１】本発明は茶の湯の点前時における湯沸し用の熱源を炭火、電熱兼用とするための装置で、使用者が両者を簡便に交換できるように五徳の支柱を上下に分割し、五徳本体や灰はそのままで専用の電熱器を装着させるものである。
【背景技術】
【０００２】本来、茶道における湯沸し用の熱源は伝統的に炭火が利用されていた。しかし、炭火での湯沸しは、準備や後始末に手間がかかる上、最近の建築物の密閉性の向上により炭火による一酸化炭素中毒の危険性が指摘され、一部の公共施設では炭火の使用が禁止されている傾向も見受けられる。
これに対し、電熱器もあり、操作は簡便であるが、他の茶道具との美的な釣り合いが取れず、さらに、電熱器本体に炭の配置に準じた意匠が施されている等、炭火の代用品の域を脱していない。
この２種類の熱源は設置の仕方が異なり、炭火の場合は、釜を支える五徳を炉や風炉に設置した後、五徳の台座部分に灰を敷き、その上に炭を配置する。これに対して在来の電熱器を設置する場合は、灰の上に設置はできず、炉や風炉の中の五徳及び灰を取り出した状態でなければ電熱器を設置できない。したがって、炉や風炉で熱源を使い分ける場合、炭火から電熱にする場合は、五徳や大量の灰を取り出さねばならず、電熱から炭火に変更する場合もその逆で、交換の度にかなりの時間と手間を要する。
以上の通り熱源を必要に応じて簡便に使い分ける方法がないのが現状である。さらに茶道の作法には炭の配置や灰の成形にも決まった形式があり、灰の成形や炭の配置の稽古が必要となる。この場合、炭火を使用する形態で点前や稽古をしなければならず、従来の電熱器を使用している状態ではこうした作法への対応が完全できているとは言いにくい。
【発明が解決しようとする課題】
【０００３】茶の湯の点前の際の湯沸し用の熱源である炭火と電熱の長所を生かし、状況に応じて簡便に交換し、容易に使い分けることが困難であった。
本発明はこれらの課題を解決するためになされたものである。
【課題を解決するための手段】
【０００４】支柱分割式五徳と五徳設置用電熱器を組み合わせ、炉、風炉内の灰等をそのままで熱源の変換を容易にした茶道用炭電熱兼用装置である。
１．支柱分割式五徳は下記の通りとする。
▲１▼支柱を上下分割とし、上部は着脱式もしくは回転式にし、炉や風炉に五徳を設置したまま支柱上部を容易に取り外しや移動可能にする。
▲２▼上下の接続は凹凸による落とし込みの自重固定とし、位置決めのため凹凸の一部に切り欠きを施す。バネやネジ等を用いた固定も可能である。
▲３▼支柱の上下の接続部に五徳の爪に邪魔されず専用の電熱器を設置させる。
▲４▼支柱を分割式としたことで、長さの異なる五徳の上部やスペーサーを用意することで五徳の高さも容易な変更が可能となる付帯効果も発生する。
２．五徳設置用電熱器は下記の通りとする。
▲１▼五徳の３本の支柱の間に設置されるため、本体の大きさは五徳の３本の支柱を結ぶ直径より小さくし、高さは炭の最大直径以内の厚みとする。
▲２▼五徳の支柱の上下の接続部に取り付けるため本体の外側に五徳取付金具を設け、五徳取付穴で五徳の支柱と組み合わせる。電熱器を設置する高さは灰と五徳の爪の間の部分で、炭が置かれる位置と同じとする。
▲３▼炭火との交換が簡便なため特に炭を模した意匠にはせず、茶の湯の風情は考慮するが、例えば保温機能や発熱の速度を炭火に準じた制御をも可能とする等、現状の技術水準としての茶道具用電熱器の機能性を追及する。
【発明実施の形態】
【０００５】茶の湯の熱源を炭火から電熱に交換する場合は、支柱分割式五徳の支柱上部を外し、五徳の支柱に五徳設置用電熱器を設置する。電熱から炭火にする場合はこの逆の手順で行う。灰及び五徳本体は交換時に取り出す必要がない。
【発明の効果】
【０００６】支柱分割式五徳と五徳設置用電熱器を使用することにより、五徳や灰を撤去せず、また、五徳の爪の部分に邪魔されることなく、従来に比べ簡便且つ短時間に茶の湯の湯沸し用の熱源を炭火と電熱に交換することができる。
さらに、支柱分割式五徳は炭火使用時は在来の五徳と外見、使用勝手がほとんど変わらないので、例えば本格的な茶の湯の場合や炭の点前を行う場合には炭火、手軽に茶の湯を楽しむ場合や稽古の時などは電熱を使用するというように、目的に応じた熱源の選択が容易になった。
また、火鉢や長火鉢などの骨董やアンティークの茶の湯以外での熱源の使用にも対応できる。
以上の効果により茶の湯の普及に寄与し、茶道文化ひいては日本の伝統文化の発展に貢献すると考えられる。
【図面の簡単な説明】
【図１】電熱器使用時立面図：本発明の五徳設置用電熱器使用時の立面概略図である。
【図２】電熱器使用時平面図：本発明の五徳設置用電熱器使用時の平面概略図である。
【図３】電熱器使用時構成図：本発明の支柱分割式五徳と五徳設置用電熱器の構成概略図である。
【図４】炭火使用時立面図：本発明の炭火使用時の立面概略図である。
【図５】炭火使用時平面図：本発明の炭火使用時の平面概略図である。
【図６】炭火使用時構成図：本発明の炭火使用時の支柱分割式五徳の構成概略図である。
【図７】支柱分割式五徳立面図：本発明の支柱分割式五徳の立面図である。
【図８】支柱分割式五徳平面図：本発明の支柱分割式五徳の平面図である。
【図９】五徳設置用電熱器立面図：本発明の五徳設置用電熱器の外観立面図である。
【図１０】五徳設置用電熱器平面図：本発明の五徳設置用電熱器の外観平面図である。
【図１１】五徳接続部電熱器使用時拡大図：本発明の支柱分割式五徳の支柱の上部と下部と五徳設置用電熱器との接続部の拡大図である。
【図１２】五徳接続部炭火使用時拡大図：本発明の支柱分割式五徳の支柱の上部と下部との接続部の拡大図である。
【符号の説明】
１五徳上部
２五徳下部
３五徳爪
４接続用穴
５接続用突起
６五徳設置用電熱器
７五徳取付金具
８五徳取付穴
９灰
１０炭
１１風炉（炉）
【図１】
2009041893.tif 000003
【図２】
2009041893.tif 000004
【図３】
2009041893.tif 000005
【図４】
2009041893.tif 000006
【図５】
2009041893.tif 000007
【図６】
2009041893.tif 000008
【図７】
2009041893.tif 000009
【図８】
2009041893.tif 000010
【図９】
2009041893.tif 000011
【図１０】
2009041893.tif 000012
【図１１】
2009041893.tif 000013
【図１２】
2009041893.tif 000014